(57)【要約】【課題】剛性を有する柱体にバンドを強固に締結することができる作業台装置の提供。【解決手段】本発明に係る作業台装置は、バンド２１を油圧ジャッキ５のシリンダー６に締め付ける締結部が、バンド２１の第１取り付け部２１ｂに挿通されて第１ねじ部２２ａを有している第１棒体２２と、バンド２１の第２取り付け部２１ｃに挿通されて第１ねじ部２２ａとは逆ねじを形成する第２ねじ部２３ａを有している第２棒体２３と、第１取り付け部２２と第２取り付け部２３との間に位置して、第１棒体２２及び２棒体２３を保持している固定金具２４と、第１棒体２２の第１ねじ部２２ａに螺合している第１ナット２５と、第２棒体２３の第２ねじ部２３ａに螺合している第２ナット２６と、固定金具２４の挿入穴２４ａに差し込まれ、水平方向に延設された仮想的な軸心を中心に固定金具２４を回動させることが可能な丸棒２７とを備えた構成にしてある。【選択図】図２
2017197947.tif 000002
【特許請求の範囲】
【請求項１】
上下方向に立設された剛性を有する柱体に巻かれたバンドと、前記バンドに係着されて作業者が乗る足場部を形成している作業台と、前記バンドを前記柱体に締め付ける締結部とを備えた作業台装置であって、
前記バンドは、前記柱体の周面に当接された巻回部と、前記巻回部の一方の端部に設けられて前記巻回部から立ち上がる方向に形成された第１取り付け部と、前記巻回部の他方の端部に設けられて前記巻回部から立ち上がる方向に形成されており、前記第１取り付け部と所定間隔で対向して配置された第２取り付け部とを備えており、
前記締結部は、
前記バンドの前記第１取り付け部に形成された挿通部に挿通されて第１ねじ部を有している第１棒体と、前記第２取り付け部に形成された挿通部に挿通されて前記第１ねじ部とは逆ねじを形成する第２ねじ部を有している第２棒体と、
前記第１取り付け部と前記第２取り付け部との間に位置して、水平方向に延設された仮想的な軸心を中心に回動可能に設けられており、一方の端部側に前記第１棒体を保持しており、他方の端部側に前記第２棒体を保持している保持具と、
前記第１棒体の前記第１ねじ部に螺合しており、前記第１取り付け部に締め付け力を付与している第１ナットと、前記第２棒体の前記第２ねじ部に螺合しており、前記第２取り付け部に締め付け力を付与している第２ナットと、
前記保持具を水平方向に延設された前記仮想的な軸心を中心に回動させることが可能な長尺部材とを備えたことを特徴とする作業台装置。
【請求項２】
請求項１に記載の作業台装置であって、
前記柱体は、円柱体から成り、
前記保持具は、一方の端部側に前記第１棒体が固定されており、他方の端部側に前記第２棒体が固定されている固定金具から成り、
前記長尺部材は、丸棒から成り、
前記固定金具は円柱状に形成してあり、周方向に沿って前記丸棒の端部が挿入可能な複数の挿入穴を有していることを特徴とする作業台装置。
【請求項３】
請求項２に記載の作業台装置であって、
前記作業台は、前記丸棒上に載置された平板部と、前記第１棒体及び前記第２棒体に係着された切り欠き部とを有することを特徴とする作業台装置。
【請求項４】
請求項３に記載の作業台装置であって、
前記作業台の前記平板部を水平状態に保持している脚部を備えたことを特徴とする作業台装置。
【請求項５】
請求項４に記載の作業台装置であって、
前記脚部を前記作業台に回動可能に連結している回動支持部を備えたことを特徴とする作業台装置。
【請求項６】
請求項５に記載の作業台装置であって、
前記脚部は、端部が前記円柱体に係止された板状部と、前記平板部を水平状態に保つように前記板状部の回動を規制している規制部とを有することを特徴とする作業台装置。
【請求項７】
請求項６に記載の作業台装置であって、
前記規制部は、前記板状部の前記端部の反対側に位置する端部に設けられて、前記作業台の前記平板部に連設された傾斜部に接合している規制板から成ることを特徴とする作業台装置。
【請求項８】
請求項１に記載の作業台装置であって、
前記柱体は、油圧シリンダーに備えられた円柱体である油圧ジャッキのシリンダーから成ることを特徴とする作業台装置。
【発明の詳細な説明】
【技術分野】
【０００１】
本発明は、剛性を有する柱体に保持される足場部を形成する作業台を備えた作業台装置に関する。
【背景技術】
【０００２】
この種の従来技術が特許文献１に開示されている。この特許文献１には、上下方向に立設された円柱体すなわち電柱に巻かれた自在バンドと、この自在バンドに係着されて作業者が乗る足場部と、自在バンドの一端側に係合させたフックボルトと、このフックボルトに形成したねじ部に螺合して自在バンドの他端側に保持された段付ナットとを備えた構成が開示されている。この従来技術は、段付ナットを回転させてフックボルトによって自在バンドを引っ張ることによって、自在バンドで電柱を締め付け、この自在バンドに係着させた足場部を電柱に保持させるようにしたものである。
【先行技術文献】
【特許文献】
【０００３】
【特許文献１】特開２００９−１７６７９号公報
【発明の概要】
【発明が解決しようとする課題】
【０００４】
特許文献１に開示された従来技術にあっては、段付ナットに対する回転力の付与が十分でないと、電柱に対する自在バンドの締結力が弱くなり、足場部に作業者が乗った際に作業者の自重によって足場部が下方にずれてしまう虞があった。
【０００５】
上記課題を解決するために、本発明の目的は、剛性を有する柱体にバンドを強固に締結することができる作業台装置を提供することにある。
【課題を解決するための手段】
【０００６】
上記課題を解決するために、本発明に係る作業台装置は、上下方向に立設された剛性を有する柱体に巻かれたバンドと、前記バンドに係着されて作業者が乗る足場部を形成している作業台と、前記バンドを前記柱体に締め付ける締結部とを備えた作業台装置であって、前記バンドは、前記柱体の周面に当接された巻回部と、前記巻回部の一方の端部に設けられて前記巻回部から立ち上がる方向に形成された第１取り付け部と、前記巻回部の他方の端部に設けられて前記巻回部から立ち上がる方向に形成されており、前記第１取り付け部と所定間隔で対向して配置された第２取り付け部とを備えており、前記締結部は、前記バンドの前記第１取り付け部に形成された挿通部に挿通されて第１ねじ部を有している第１棒体と、前記第２取り付け部に形成された挿通部に挿通されて前記第１ねじ部とは逆ねじを形成する第２ねじ部を有している第２棒体と、前記第１取り付け部と前記第２取り付け部との間に位置して、水平方向に延設された仮想的な軸心を中心に回動可能に設けられており、一方の端部側に前記第１棒体を保持しており、他方の端部側に前記第２棒体を保持している保持具と、前記第１棒体の前記第１ねじ部に螺合しており、前記第１取り付け部に締め付け力を付与している第１ナットと、前記第２棒体の前記第２ねじ部に螺合しており、前記第２取り付け部に締め付け力を付与している第２ナットと、前記保持具を水平方向に延設された前記仮想的な軸心を中心に回動させることが可能な長尺部材とを備えたことを特徴としている。
【発明の効果】
【０００７】
本発明に係る作業台装置は、剛性を有する柱体にバンドを強固に締結することができ、
これにより足場を形成する作業台に作業者が乗った際の作業台の下方へのずれを確実に防止することができる。前述した以外の課題、構成及び効果は、以下の実施形態の説明により明らかにされる。
【図面の簡単な説明】
【０００８】
【図１】本発明に係る作業台装置の第１実施形態が取り付けられるシリンダーを有する油圧ジャッキを備えた油圧エレベーターの構成を示す図である。
【図２】第１実施形態の構成を示す斜視図である。
【図３】第１実施形態に備えられた締結部を構成する固定金具、第１棒体、第２棒体、第１ナット、及び第２ナットの組み込み関係を示す斜視図である。
【図４】本発明の第２実施形態の要部を構成する作業台及び脚部の裏面図である。
【図５】第２実施形態に備えられた作業台及び脚部を油圧エレベーターのシリンダーに係着させた状態を示す側面図である。
【図６】図５の要部を断面して示した側面図である。
【発明を実施するための形態】
【０００９】
以下、本発明に係る作業台装置の実施の形態を図面に基づいて説明する。
【００１０】
本実施形態に係る作業台装置の第１実施形態は、油圧エレベーターに備えられた油圧ジャッキのシリンダーに取り付けたものである。
【００１１】
図１に示すように、油圧エレベーター１は、昇降路２内に昇降可能に設けられた乗りかご３と、この乗りかご３を上下方向に案内するガイドレール４と、乗りかご３を昇降させる油圧ジャッキ５とを備えている。
【００１２】
油圧ジャッキ５は、剛性を有する柱体すなわち円柱体であるシリンダー６と、このシリンダー６に収容されて上下方向に移動するプランジャー７とを備えている。プランジャー７の上端には回動可能なプーリ８を取り付けてある。シリンダー６の上端部を構成するグランド部９には、プランジャー７に摺接するゴムパッキン１０を設けてある。
【００１３】
ワイヤロープ１１の一端は、シリンダー６の底部付近の昇降路２の床に固定され、他端側がプーリ８に巻かれ、さらに乗りかご３の下部に設けた回動可能なプーリ１２，１３に巻かれた後、昇降路２の天井に固定されている。
【００１４】
したがって、油圧ジャッキ５のプランジャー７を伸縮させることにより、プーリ８，１２，１３に巻かれたワイヤロープ１１を介して乗りかご３を昇降させることができる。
【００１５】
第１実施形態に係る作業台装置は、損耗したゴムパッキン１０の点検、または交換に際してシリンダー６に取り付けられる。
【００１６】
図２，３に示すように、第１実施形態に係る作業台装置は、上下方向に立設された油圧ジャッキ５のシリンダー６に巻かれた金属製のバンド２１と、このバンド２１に係着されて作業者が乗る足場部を形成する作業台１５と、バンド２１をシリンダー６に締め付ける締結部とを備えている。
【００１７】
バンド２１は、シリンダー６の周面に当接された巻回部２１ａと、巻回部２１ａの一方の端部に設けられて巻回部２１ａから立ち上がる方向に形成された第１取り付け部２１ｂと、巻回部２１ａの他方の端部に設けられて巻回部２１ａから立ち上がる方向に形成されており、第１取り付け部２１ｂと所定間隔で対向して配置された第２取り付け部２１ｃとを備えている。
【００１８】
また、バンド２１をシリンダー６に締め付ける締結部は、以下の構成要素を備えている。
【００１９】
すなわち、バンド２１の第１取り付け部２１ｂに形成された挿通部である穴部に挿通されて第１ねじ部２２ａを有している第１棒体２２と、第２取り付け部２１ｃに形成された挿通部である穴部に挿通されて、第１ねじ部とは逆ねじを形成する第２ねじ部２３ａを有している第２棒体２３とを備えている。
【００２０】
また、第１取り付け部２１ｂと第２取り付け部２１ｃとの間に位置して、水平方向に延設された仮想的な軸心を中心に回動可能に設けられており、一方の端部側に第１棒体２２を保持しており、他方の端部側に第２棒体２３を保持している保持具を備えている。この保持具は、一方の端部側に第１棒体２２が溶接部によって固定されており、他方の端部側に第２棒体２３が溶接部によって固定されている固定金具２４から成っている。この固定金具２４は、円柱状に形成されており、周方向に沿って階段状に配置された複数の挿入穴２４ａを有している。これらの挿入穴２４ａは、固定金具２４の周方向に角度３０度毎に合計１２個形成されている。
【００２１】
また、締結部は、第１棒体２２の第１ねじ部２２ａに螺合しており、第１取り付け部２１ｂに締め付け力を付与している第１ナット２５と、第２棒体２３の第２ねじ部２３ａに螺合しており、第２取り付け部２１ｃに締め付け力を付与している第２ナット２６とを備えている。
【００２２】
また、締結部は、固定金具２４を水平状態に延設された仮想的な軸心を中心に回動させることが可能な長尺部材を備えている。この長尺部材は、固定金具２４の複数の挿入穴２４ａのいずれかに選択的に端部が挿入可能な丸棒２７から成っている。
【００２３】
シリンダー６に保持される作業台１５は、丸棒２７上に載置される平板部１５ｂと、第１棒体２２及び第２棒体２３に係合される切り欠き部１５ａとを有している。また、シリンダー６側に位置する平板部１５ｂの端部には、シリンダー６の周面形状に応じた円弧部１５ｃを有している。
【００２４】
このように構成された第１実施形態を用いて、損耗したゴムパッキン１０の点検または交換作業を行うに際しては、図２に示すようにシリンダー６の周面に巻回部２１ａが当接するようにバンド２１を巻き、第１棒体２２を第１取り付け部２１ｂの穴部に挿入させ、第２棒体２３を第２取り付け部２１ｃの穴部に挿入させるようにして、固定金具２４を第１取り付け部２１ｂと第２取り付け部２１ｃとの間に配置する。
【００２５】
この状態で、第１棒体２２の第１ねじ部２２ａに第１ナット２５を螺合させ、第２棒体２３の第２ねじ部２３ａに第２ナット２６を螺合させ、これらの第１ナット２５と第２ナット２６を図示しない工具によって回転させて、第１ナット２５と第２ナット２６を締め付ける。これらの第１ナット２５と第２ナット２６とによって、バンド２１の第１取り付け部２１ｂと第２取り付け部２１ｃは、互いに近づく方向に付勢されて、バンド２１はシリンダー６に締結される。
【００２６】
この状態で、丸棒２７の端部を固定金具２４の１２個の挿入穴２４ａのいずれかの挿入穴２４ａに差し込み、丸棒２７を手作業で下方に押し下げる。これにより、第１ナット２５及び第２ナット２６に対する増し締めが行われる。
【００２７】
次に、丸棒２７を挿入穴２４ａから一端抜き取り、この丸棒２７が水平面に対して３０
度程度上方に傾いた状態となるように、丸棒２７の端部を固定金具２４の１２個の挿入穴２４ａのうちの該当する挿入穴２４ａに差し込む。
【００２８】
この状態で、作業台１５を丸棒２７に被せるようにしながら、この作業台１５の切り欠き部１５ａを第１棒体２２と第２棒体２３に係合させる。
【００２９】
このような状態で作業者が作業台１５上に乗ると、作業者の自重によって丸棒２７は下がり、さらに第１ナット２５と第２ナット２６に対して増し締めが行われる。このようにして丸棒２７は略水平状態となり、これにより作業台１５は第１棒体２２、第２棒体２３、固定金具２４、及び丸棒２７で支持されて、作業者による損耗したゴムパッキン１０の点検または交換作業が可能な略水平状態に保つことができる。
【００３０】
この第１実施形態によれば、前述のように第１棒体２２の第１ねじ部２２ａと第２棒体２３の第２ねじ部２３ａとが互いに逆ねじに形成されていることにより、固定金具２４の挿入穴２４ａに端部を差し込んだ丸棒２７を手作業で押し下げて第１ナット２５と第２ナット２６の増し締めを行い、第１棒体２２及び第２棒体２３に切り欠き部１５ａを係合させた作業台１５上に作業者が乗って丸棒２７を押し下げることで、第１ナット２５と第２ナット２６のさらなる増し締めを行うことができる。
【００３１】
このようにして第１実施形態は、油圧ジャッキ５の円柱体を構成するシリンダー６にバンド２１を強固に締結することができる。これに伴ってバンド２１に装着された第１棒体２２及び第２棒体２３に係合する切り欠き部１５ａを有する作業台１５に作業者が乗った際の、作業台１５の下方へのずれを確実に防止することができる。
【００３２】
図４，５，６に示す本発明の第２実施形態も、油圧エレベーター１の油圧ジャッキ５を構成するシリンダー６に取り付けられるものである。
【００３３】
この第２実施形態は、前述した第１実施形態の構成に加えて、図５，６に示すように作業台３０の平板部３０ｂを水平状態に保持している脚部３１と、この脚部３１を作業台３０に回動可能に連結している回動支持部３２とを備えている。
【００３４】
脚部３１は、水平状態に配置された作業台３０の平板部３０ｂの下方に傾斜状に配置されて、図４に示す円弧状に形成された端部３１ａ１が油圧ジャッキ５のシリンダー６に係止された板状部３１ａと、作業台３０の平板部３０ｂを水平状態に保つように板状部３１ａの回動を規制する規制部とを有している。
【００３５】
規制部は、板状部３１ａの端部３１ａ１の反対側に位置する端部に設けられて、作業台３０の平板部３０ｂに連設された傾斜部３０ｃに接合している規制板３１ｂから成っている。
【００３６】
作業台３０には、前述した第１棒体２２と第２棒体２３に係合する切り欠き部３０ａが形成されている。
【００３７】
作業台３０を前述した第１棒体２２及び第２棒体２３から取り外した際には、図６の一点鎖線で示すように脚部３１は、その板状部３１ａが作業台３０の平板部３０ｂの裏面に当接するように折り畳みが可能となっている。すなわち、作業台３０と脚部３１は、持ち運びに便利なコンパクトな構成となっている。
【００３８】
このように構成した第２実施形態にあっては、第１実施形態と同等の作用効果が得られる他、脚部３１によって作業台３０を確実に水平状態に保持することができる。したがっ
て、作業台３０に乗って行われるゴムパッキン１０の点検または交換作業に際して、何らかの理由で第１ナット２５あるいは第２ナット２６に緩みを生じることが有っても、足場を形成する作業台１５に作業者が乗ったときの作業台１５の下方へのずれを確実に防止することができる。
【００３９】
なお、前述した第１，第２実施形態では、バンド２１の第１取り付け部２１ｂの第１棒体２２が挿通される挿通部を穴部によって形成し、また、第２取り付け部２１ｃの第２棒体２３が挿通される挿通部を穴部によって形成したが、本発明は、挿通部を穴部によって構成することには限定されない。これらの挿通部が、上方が開口し上方からの第１棒体２２の挿入が可能な第１切り欠き部、及び上方からの第２棒体２３の挿入が可能な第２切り欠き部によって構成されていてもよい。
【００４０】
このように構成されたものでは、第１切り欠き部及び第２切り欠き部から、第１棒体２２、第２棒体２３、及び固定金具２４を挿入して、これらの第１棒体２２、第２棒体２３、及び固定金具２４を、バンド２１の第１取り付け部２１ｂ及び第２取り付け部２１ｃに容易に装着させることができる。
【００４１】
また、前述した第１，第２実施形態では、固定金具２４に１２個の挿入穴２４ａを形成し、丸棒２７の端部を挿入穴２４ａのいずれかに差し込む構成にしてあるが、本発明は、このように構成することには限定されない。固定金具２４に挿入穴２４ａを設けずに、固定金具２４と丸棒２７とが溶接部によって一体に固定されていてもよい。
【００４２】
このように構成されたものでは、丸棒２７が水平面に対して角度３０度程度上方に傾くように保持して、第１ナット２５及び第２ナット２６を締め付けて第１棒体２２、第２棒体２３、及び固定金具２４を、バンド２１の第１取り付け部２１ｂ及び第２取り付け部２１ｃに装着し、この状態で作業台１５を丸棒２７に被せるようにして第１棒体２２及び第２棒体２３に係合させるようにすればよい。
【００４３】
また、前述した第１，第２実施形態は、固定金具２４を回動させることが可能な長尺部材を丸棒２７によって構成したが、本発明は、このように構成することには限定されない。長尺部材が、固定金具２４に溶接部によって固定されるＬ型鋼、Ｕ型鋼等の長尺の鋼材によって構成されていてもよい。
【００４４】
このように構成されたものでは、鋼材の平坦面が上面となるように鋼材を固定金具２４に溶接部によって固定することにより、鋼材の平坦面で作業台１５，３０をより安定に支持することができる。
【００４５】
また、前述した第２実施形態では、脚部３１を回動支持部３２によって作業台３０に対して回動可能に連結した構成にしてあるが、本発明は、このように構成することには限定されない。回動支持部３２を設けずに、脚部３１の板状部３１ａの端部３１ａ１をシリンダー６の周面に係止させた際に、作業台３０の平板部３０ｂが水平状態を保持する形状に、脚部３１と作業台３０とが溶接部によって一体に固定されていてもよい。
【００４６】
また、前述した第２実施形態に備えられた脚部３１を構成する板状部３１ａの円弧状の端部３１ａ１に、滑り止め部材を取り付けた構成にしてもよい。
【００４７】
また、前述した第１，第２実施形態に係る作業台装置は、油圧エレベーター１の油圧ジャッキ５のシリンダー６に取り付けたものであるが、本発明に係る作業台装置が取り付けられる対象物は、油圧ジャッキ５のシリンダー６には限定されない。取り付けられる対象物は剛性を有する柱体、すなわち、当該作業台装置を保持し得る剛性を有する金属から成
る円柱体、角柱体、またはコンクリートから成る円柱体、角柱体等であってもよい。
【符号の説明】
【００４８】
１・・油圧エレベーター、２・・昇降路、５・・油圧ジャッキ、６・・シリンダー（円柱体）、７・・プランジャー、９・・グランド部、１０・・ゴムパッキン、１５・・作業台、１５ａ・・切り欠き部、１５ｂ・・平板部、１５ｃ・・円弧部、２１・・バンド、２１ａ・・巻回部、２１ｂ・・第１取り付け部、２１ｃ・・第２取り付け部、２２・・第１棒体、２２ａ・・第１ねじ部、２３・・第２棒体、２３ａ・・第２ねじ部、２４・・固定金具（保持具）、２４ａ・・挿入穴、２５・・第１ナット、２６・・第２ナット、２７・・丸棒、３０・・作業台、３０ａ・・切り欠き部、３０ｂ・・平板部、３０ｃ・・傾斜部、３１・・脚部、３１ａ・・板状部、３１ａ１・・端部、３１ｂ・・規制板（規制部）、３２・・回動支持部
【図１】
2017197947.tif 000003
【図２】
2017197947.tif 000004
【図３】
2017197947.tif 000005
【図４】
2017197947.tif 000006
【図５】
2017197947.tif 000007
【図６】
2017197947.tif 000008